(57)【特許請求の範囲】
【請求項１】
前面に遊技領域が設けられているとともに、窓枠の後側にガラス枠を組み付けてなる前枠が、遊技領域前方に位置するように、片開き自在に設けられており、さらに、窓枠の前側に、ランプによって点灯するランプ飾りを備えているパチンコ機であって、
前記ガラス枠の前面に、前記ランプを設置したランプ基板を係止するための係止爪を設けるとともに、前記ガラス枠に、前記ランプの端子を後方に露出可能なランプ孔を設ける一方、
前記窓枠の後面に、前記ランプ基板を嵌め込み可能な凹部を設けるとともに、前記窓枠の前記凹部内となる位置に、前記ランプを露出する為のランプ窓、及び前記係止爪を嵌入可能な爪用孔を穿設し、
前記ガラス枠の前面に前記ランプ基板を係止させた後、当該ランプ基板を前記凹部内に位置させ、前記ランプを前記ランプ窓内に、前記係止爪を前記爪用孔内に夫々位置させることで、前記窓枠の後面と前記ガラス枠の前面とを近接させたことを特徴とするパチンコ機。
【請求項２】
前記ガラス枠の前面に、係止状態にある前記ランプ基板の後面外周縁に当接する基板用リブを前方へ突設したことを特徴とする請求項１に記載のパチンコ機。
【発明の詳細な説明】
【０００１】
【発明の属する技術分野】
本発明は、パチンコ機に関し、さらに詳しくは、パチンコ機前面に設けられた遊技領域を覆う前枠に関する。
【０００２】
【従来の技術】
図１２に示す従来のパチンコ機８１には、機枠が周設されており、機枠上半部の左側縁に、ガラス板８３を備えた前枠８４が、片開き自在に設置されている。ガラス板８３の後方には、遊技球が流下する遊技領域８２が設けられている。また、前枠８４は、図１３に示すように、ランプ飾り８５、装飾体８６、前方枠８７、ガラス板８３を嵌入した後方枠８８、下方装飾体８９などからなり、ランプ飾り８５には、ランプ９１，９１・・を搭載したランプ基板９２，９２・・が螺着されている。ランプ基板９１には、ランプ９２，９２・・が、全体に亘り互いに近接した状態で載置されている。
【０００３】
【発明が解決しようとする課題】
従来のパチンコ機８１では、ランプ基板９２が、前方枠８７の前面に取り付けられた、幅の狭いランプ飾り８５に螺着されているため、基板を安定して取り付けるために、多くのネジが必要となる。また、ランプ基板９２が、直にランプ飾り８５に螺着されているため、ランプ基板９２の上下や左右や取り付け位置を取り違えて取り付けられる可能性があり、さらにランプ９１，９１・・は、ランプ基板９２一面に設けられているため、取り違えて螺着された場合には、ランプ９１やランプ基板９２の破損、ひいてはパチンコ機８１の作動不良を生じてしまう。
【０００４】
よって、本発明のうち、請求項１，２に記載の課題は、ランプ基板を、方向や配置を取り違えることなく、簡易な構成で安定して取り付けることができるパチンコ機を提供することにある。また、上記課題にくわえて、ランプ基板を容易に取り付けることができるパチンコ機を提供することにある。
【０００５】
【課題を解決するための手段】
本発明のうち、請求項１に記載の発明は、前面に遊技領域が設けられているとともに、窓枠の後側にガラス枠を組み付けてなる前枠が、遊技領域前方に位置するように、片開き自在に設けられており、さらに、窓枠の前側に、ランプによって点灯するランプ飾りを備えているパチンコ機であって、前記ガラス枠の前面に、前記ランプを設置したランプ基板を係止するための係止爪を設けるとともに、前記ガラス枠に、前記ランプの端子を後方に露出可能なランプ孔を設ける一方、前記窓枠の後面に、前記ランプ基板を嵌め込み可能な凹部を設けるとともに、前記窓枠の前記凹部内となる位置に、前記ランプを露出する為のランプ窓、及び前記係止爪を嵌入可能な爪用孔を穿設し、前記ガラス枠の前面に前記ランプ基板を係止させた後、当該ランプ基板を前記凹部内に位置させ、前記ランプを前記ランプ窓内に、前記係止爪を前記爪用孔内に夫々位置させることで、前記窓枠の後面と前記ガラス枠の前面とを近接させたことを特徴とする。
【０００６】
また、請求項２に記載の発明は、前記ガラス枠の前面に、係止状態にある前記ランプ基板の後面外周縁に当接する基板用リブを前方へ突設したことを特徴とする。
【０００８】
【発明の実施の形態】
以下、本発明の実施形態につき、図面に基づいて説明する。図１および図２は、本発明に係るパチンコ機前部の斜視説明図であって、パチンコ機には、外枠２が周設されており、外枠２の左上コーナー部には、連結部３が突設され、左下コーナー部には、本体枠連結金具４が取り付けられている。そして、連結部３と本体枠連結金具４とに、本体枠が枢着されている。本体枠は３層構造であり、前から順に、表枠５、内部機構（図示せず）を支持したミドル枠６、機構板（図示せず）となっている。表枠５は、外枠２とほぼ同寸の薄板７と、薄板７前面の左側縁に片開き自在に設けられる、前枠８および中扉９と、中扉９の下方に取り付けられる下側機能部１０などからなる。なお、薄板７の後面に、ミドル枠６が固定されている。また、ミドル枠６には、前面に遊技領域が形成された、内部機構の一部としての遊技盤が支持されており、前枠８後方に遊技領域が位置している。さらに、中扉９は、供給皿１１を備えており、下部機能部１０は、貯留皿１２を備えている。
【０００９】
図３から図５は前枠８の説明図であって、前枠８は、窓枠１５およびガラス枠１６などからなる。窓枠１５は、大別して、窓枠本体２０とランプ飾り２１とからなる。一方、ガラス枠１６は、大別して、ガラス枠本体２２とガラス板２３とからなる。図６から図８に、ランプ飾り２１と窓枠本体２０とガラス枠本体２２とを示す。
【００１０】
窓枠本体２０は、下部を切り欠いた円形のほぼ遊技領域大である開口部２４を中央に有する、合成樹脂製の部材であって、開口部２４の下方には、開口部２４下部と相似形で、他の部分より前側と下側とに突出した段状の延長部２６が設けられている。また、延長部２６辺部を含む開口部２４前面周辺には、周囲部２５が、前方へ向けて突設されている。さらに、周囲部２５のすぐ内側であって、窓枠本体２０のコーナー部付近には、挿通孔２７，２７・・が設けられている。またさらに、上方と下方との挿通孔２７，２７・・の間には、ランプ窓２８，２８・・が、５個ずつ縦一列に並設されている。また、最上方および最下方のランプ窓２８，２８・・に近接した、周囲部２５の内側には、爪用孔２９，２９・・が設けられている。なお、延長部２６は、中扉９前面に当接可能である。
【００１１】
くわえて、窓枠本体２０の上辺縁前面中央には回動部材用孔３０が、回動部材用孔３０の両脇には上ランプ用孔３１，３１が開けられており、さらに上ランプ用孔３１，３１の側方には上ランプ基板台３２，３２と上ランプ基板係止爪３３，３３とが突設されており、またさらに上ランプ基板係止爪３３，３３の側方には、スピーカー部３４，３４が、開口部を有する箱状に突出成形されている。回動部材用孔３０には、回動部材５２が、先端膨出形の回動軸を、回動部材用孔３０に挿通することによって、回動可能に取り付けられている。回動軸先端は、回動部材用孔３０に、弾性変形によって通す。また、上ランプ基台３２，３２には、上ランプ飾り１８を点灯する上ランプを備えた、上ランプ基板（図示せず）が、上ランプ基板係止爪３３によって取り付けられている。さらに、スピーカー部３４には、スピーカー４９，４９が嵌め込まれている。なお、上ランプは、上ランプ基板のすぐ後方において束ねられたコード（図示せず）によって、パチンコ機内部の制御装置（図示せず）に連結されている。コードは、片方の上ランプ基板用孔３１を通されている。また、スピーカーも制御装置と連結されている。
【００１２】
また、前枠本体２０の左上コーナー部には、切除部３５が形成されており、切除部３５下方と、前枠本体２０の左下コーナー部とには、それぞれ、膨出部３６，３７が、前方へ半円錐状に突設されている。なお、膨出部３６上面に設けられた上軸孔３７に、連結部３の下面に配置された上突出軸（図示せず）の先端縁が挿入されている。上突出軸は、ミドル枠６の枢着部下面に突設されている。また、連結部３下面と膨出部３６との間であって、上突出軸周囲に、スペーサ３８が設けられている。スペーサ３８は、膨出部３６上面に開けられた串刺し孔３９と、スペーサ３８自体に設けられた串刺し孔（図示せず）とを共通して貫く串刺し部材４０によって取り付けられている。スペーサ３８の装着により、連結部３の突出軸を隠し、さらに膨出部３６と連続形状となって見栄えが良いし、前枠８の上下のがたつきを抑え、スペーサ３８を外せば、前枠８を上にずらして下部枢着部を外し、続いて上部枢着部を外して、前枠８を外すことができる。また、切除部３５は、スペーサ３８と連結部３との厚さ分の深さを有し、連結部３と窓枠１５の切除部３５以外の上辺を揃える。
【００１３】
さらに、窓枠本体２０後面であって、各サイドのランプ窓２８，２８・・が設けられた部分には、凹部７６が形成されている。なお、窓枠本体２０は、発泡倍率を１．０５程度としたカウンタープレッシャー成形法により一体成形されている。カウンタープレッシャー成形法の採用により、ガラス枠１６を支えるために十分な強度が、一体成形したリブの作用と相まって、軽量で薄く形成しても得ることができるし、複雑な形状の窓枠本体２０を、個体間のばらつきがほとんどない状態で容易に成型することができるようになる。
【００１４】
また、ランプ飾り２１は、内周を窓枠本体２０の開口部２４と同寸とし、外周を周囲部と同形状とした、断面山形の輪状部材であって、周方向に段部を有する。また、ランプ飾り２１両サイド部の段部内側には、透明な透光窓５０，５０が形成されている。さらに、各透光窓５０の上下には、先端矢尻状の挿通片５１，５１が、後方へ突設されている。なお、ランプ飾り２１は合成樹脂製であって、インモールド成形法により成形されている。成形時、透光窓５０，５０に当たる部分に孔を有する金属光沢を備えたシートを、予め成形室の壁に添設しておくことにより、ランプ飾り２１は、各透光窓５０以外に金属光沢を備えた状態で一体成形される。成形後、前記シートが樹脂に若干埋め込まれた状態となっており、シートがはがれず、樹脂とシートの光沢が調和する。
【００１５】
一方、ガラス枠本体２２は、図９から図１１に示すように、中央に窓枠本体２０の開口部２４と同寸の開口部５４を備えた合成樹脂製の枠であって、外形を、窓枠本体２０の後面における最も内側のリブの配置とほぼ同形状として形成されている。すなわち、上辺中央には、当接片５５が、上方へ延設されており、両側部にはそれぞれ、左側翼５６，右側翼５７が張り出されている。そして、各側翼５６，５７前面には、それぞれ、基板用リブ５８，５９が、前方へ突出した状態で、内側に開口したコの字状に配置されている。さらに、基板用リブ５８，５９で包囲された部分には、ガラス枠１６の開口部５４に沿った状態で、５つずつ、ランプ孔６０，６０・・が設けられている。またさらに、基板用リブ５８，５９の上下辺のコーナー付近には、それぞれ、爪基部孔６２，６２・・が開けられており、先端矢尻状の係止爪６１が、各爪基部孔６２後方から前方へ突出した状態で、ガラス枠本体２２と一体的に形成されている。なお、ガラス枠本体２２のそれぞれのコーナー部には、挿通片係止孔６３が設けられている。
【００１６】
そして、基板用リブ５８，５９の前側には、それぞれ、ランプ基板７０，７１が設けられている。ランプ基板７０は、基板用リブ５８と、開口部５４外方とに沿って形成されており、ＬＥＤランプ７２，７２・・を、数個ずつ５箇所に分けて搭載している。また、ランプ基板７０の上下辺コーナー付近には、係止部７３，７３が形成されている。さらに、各係止部７３には、係止爪６１が、ランプ基板７０を後方の基板用リブ５８へ押し付けた状態で嵌入されている。なお、各ＬＥＤランプ７２は、コード（図示せず）によって、パチンコ機の制御装置に接続されており、コードは、１つにまとめられて、中央のランプ孔６０に挿通されている。また、ランプ基板７０は、基板用リブ５８によって、取り付け部の強度を上げ安定して取り付けられるし、後面外方を覆われるため、ＬＥＤランプ７２の基板との接合部が保護される。さらに、ランプ孔６０により、ランプ基板７０のＬＥＤランプ７２，７２・・との接合部における端子などの突出部と干渉することがない。そして、右側翼５７前面のランプ基板７１も、ランプ基板７０と同様に形成され、取り付けられる。なお、窓枠１５の各凹部７６外周は、それぞれ、ランプ基板７０，７１の外形と同形状に形成されている。
【００１７】
さらに、ガラス枠本体２２後面には、両サイドおよび下辺のそれぞれの全体に亘って、レールリブ６５，６５・・が、後方へ突設されている。また、サイドのレールリブ６５，６５の端部以外の内面、および、下辺のレールリブ６５の内面全体には、それぞれ３本ずつ、ガラス保持片６７，６７・・が突設されており、それぞれのレールリブ６５において、中央のガラス保持片６７と後方のガラス保持片６７との間が、ガラス挿入レール６６とされている。なお、前方のガラス保持片６７と中央のガラス挿入片６７との間には、小リブ６８，６８・・が渡されている。また、両側翼５６，５７後面には、側リブ７８，７９が、後方へ突設されている。さらに、各係止爪６１は、側リブ７８，７９を基部として突設されている。
【００１８】
そして、ガラス挿入レール６６にガラス板２３を嵌め込んでなるガラス枠１６は、ランプ飾り２１などを窓枠本体２０に取り付けた窓枠１５の後面のリブ内に、回動部材５２をガラス枠１６上部の当接片５５に当接し、さらに各挿通片５１を、窓枠１５の挿通孔２７に挿通した上、ガラス枠本体２２の挿通片係止孔６３に挿通して後側で係止することによって、取り付けられている。窓枠１５とガラス枠１６とは、挿通片５１，５１・・が共通して貫通されるため、互いに強固に組み付けられる。この組み付けは、挿通片５１，５１・・先端の矢尻部分を係止するのみで、容易にネジを必要とせず行える。
【００１９】
ガラス枠１６が取り付けられた状態では、ランプ基板７０，７１上のＬＥＤランプ７２，７２・・が、数個ずつ窓枠のランプ窓２８，２８・・の後方から前方へ、周囲に若干余裕を持って露出し（図５）、そして、透光窓５０，５０の後方に位置している（図４（ｂ））。このとき、ランプ基板７０，７１前部が、窓枠１５の凹部７６，７６にそれぞれ位置している。また、係止爪６１，６１・・の先端が、爪用孔２９，２９・・に内部に位置している。
【００２０】
このようなパチンコ機では、ガラス枠１６に取り付けられたランプ基板７０，７１上のＬＥＤランプ７２，７２・・が、窓枠１５のランプ窓２８，２８・・を通じて露出された状態で、ランプ飾り２１の透光窓５０，５０後方に配置されているので、透光窓５０，５０を介して、開口部３４，５４周囲を電飾することができる。しかも、ランプ基板７０，７１は、窓枠１５とほぼ同じ大きさであってリブを備えたガラス枠１６に取り付けられるため、安定する。さらに、ランプ基板７０，７１を取り付ける際、ＬＥＤランプ７２，７２・・の配置に対応して設けられたランプ窓２８，２８・・にＬＥＤランプ７２，７２・・を通すため、ランプ基板７０，７１の向きや配置を取り違える事態を防止できる。なお、ランプ基板７０，７１前部が、凹部７６，７６に位置しているので、ＬＥＤランプ７２，７２・・をランプ窓２８，２８から十分に突出させて透光窓５０，５０に近づけることができるし、ランプ基板７０，７１を取り付けたガラス枠１６を、窓枠１５に十分近づけて収納することができる。また、ランプ基板７０，７１は、それぞれ、ガラス枠１６と一体形成された係止爪６１，６１によって取り付けるので、ネジなどが必要なく。シンプルに形成でき、取り付けも非常に容易である。また、取り付けにネジを要しないため、パチンコ機をリサイクルもしくは破棄する場合において、分解・分別が非常に行いやすい。上ランプ基板３２の取り付けにおいても、ランプ基板７０，７１と同様である。
【００２１】
なお、本発明は、上記実施形態に限定されるものではなく、次に一部示すように様々に変更可能である。ランプ基板は、ガラス枠前面に取り付けられる必要はなく、側翼部の後面に基板用リブを配し、係止爪を突設し、さらに、ガラス枠に、窓枠のランプ窓と対応したランプ窓を設けて、基板前面に基板用リブを当接し、基板後面に係止爪を係止した状態で、ＬＥＤランプを、双方のランプ窓を通じて露出させて、取り付けることができる。この場合においても、ランプ基板の安定性や、向き・配置の取り違え防止効果は、何ら変わることがない。
【００２２】
また、ランプ基板の形状や取り付け方法、ＬＥＤランプの配置は、上記実施形態に限られることはない。同様に、基板用リブや、ランプ窓・ランプ孔の配置も、上記実施形態に限られることはない。さらに、ランプ窓から露出されるＬＥＤランプの個数も、数個に限られることはなく、１個ずつでも良いし、多数であっても良い。くわえて、ランプの種類は、ＬＥＤランプに限られることはなく、電球や蛍光灯などの他のランプを採用できる。挿通片は、窓枠とガラス枠とを挿通する必要はなく、窓枠のみを挿通しても良い。そして、本発明は、窓枠に対しガラス枠が片開きするパチンコ機や前枠と中扉とが一体となったパチンコ機など、他のパチンコ機に、また、パチンコ機以外の他の遊技機に適用することができる。
【００２３】
【発明の効果】
本発明うち、請求項１，２に記載の発明は、ガラス枠にランプ基板を取り付け、さらに、ランプを露出可能なランプ窓を設けたので、ランプ基板を、方向や配置を取り違えることなく、簡易な構成で安定して取り付けることができ、ランプ基板の破損やパチンコ機の作動不良を防止できる、という効果を奏する。また、ガラス枠と一体形成された係止爪によって、ランプ基板を係止するので、上記効果を備えるとともに、ランプ基板を容易に取り付けることができるし、ネジを用いないので適正なリサイクル・破棄作業が行いやすい。
請求項１，２に記載の発明は、ランプ基板前部が、凹部に位置しているので、ランプをランプ窓から十分に突出させて透光窓に近づけることができるし、ランプ基板を取り付けたガラス枠を、窓枠に十分近づけて収納することができる。また、ランプ孔により、ランプ基板のランプとの接合部における端子などの突出部と干渉することがない。
それに加えて請求項２に記載の発明は、ランプ基板が、基板用リブによって、取り付け部の強度を上げ安定して取り付けられるし、後面外方を覆われるため、ランプの基板との接合部が保護される。
【図面の簡単な説明】
【図１】本発明に係るパチンコ機の前部前側を示す斜視説明図である。
【図２】パチンコ機の前部後側を示す斜視を示す説明図である。
【図３】前枠の（ａ）前側，（ｂ）後側を示す斜視説明図である。
【図４】前枠の（ａ）正面，（ｂ）（ａ）のＤ−Ｄ断面を示す説明図である。
【図５】前枠の一部分解説明図である。
【図６】飾り部材、窓枠本体、およびガラス枠本体の一部分解説明図である。
【図７】窓枠本体とガラス枠本体との（ａ）平面，（ｂ）正面，（ｃ）右側面，（ａ）底面を示す説明図である。
【図８】窓枠本体とガラス枠本体との背面を示す説明図である。
【図９】ガラス枠本体の正面を示す説明図である。
【図１０】ガラス枠本体とランプ基板とを示す説明図である。
【図１１】ガラス枠本体とランプ基板とを示す分解説明図である。
【図１２】従来例を示す説明図である。
【図１３】従来例を示す説明図である。
【符号の説明】
２・・外枠、３・・連結部、５・・表枠、６・・ミドル枠、７・・薄板、８・・前枠、９・・中扉、１０・・下側機能部、１１・・供給皿、１２・・貯留皿、１５・・窓枠、１６・・ガラス枠、１８・・上ランプ、２０・・窓枠本体、２１・・ランプ飾り、２２・・ガラス枠本体、２３・・ガラス板、２４・・（窓枠）開口部、２５・・周囲部、２６・・延長部、２７・・挿通孔、２８・・ランプ孔、２９・・爪用孔、３０・・回動部材用孔、３１・・上ランプ用孔、３２・・上ランプ基板、３３・・上ランプ基板係止爪、３４・・スピーカー部、３５・・切除部、３６，３７・・膨出部、３８・・スペーサ、３９・・串刺し孔、４０・・串刺し部材、４３，４４，４５・・リブ、５０・・透光窓、５１・・挿通片、５２・・回動部材、５４・・（ガラス枠）開口部、５５・・当接片、５６・・左側翼、５７・・右側翼、５８，５９・・基板用リブ、６０・・ランプ孔、６１・・係止爪、６２・・爪基部孔、６３・・挿通片係止孔、６５・・レールリブ、６６・・ガラス挿入レール、６７・・ガラス保持片、６８・・小リブ、７０，７１・・ランプ基板、７２・・ＬＥＤランプ、７３・・係止部、７８，７９・・側リブ。
【図１】
0004345113.tif 000002
【図２】
0004345113.tif 000003
【図３】
0004345113.tif 000004
【図４】
0004345113.tif 000005
【図５】
0004345113.tif 000006
【図６】
0004345113.tif 000007
【図７】
0004345113.tif 000008
【図８】
0004345113.tif 000009
【図９】
0004345113.tif 000010
【図１０】
0004345113.tif 000011
【図１１】
0004345113.tif 000012
【図１２】
0004345113.tif 000013
【図１３】
0004345113.tif 000014